(57)【要約】【課題】一方の認証媒体に対して、当該一方の認証媒体に対応する情報を記憶させることができる携帯端末装置、記憶制御方法及び制御プログラムを提供すること。【解決手段】携帯電話装置１は、複数の宛先を記憶する記憶部５０と、ＳＩＭカードに格納されている固有情報を使用して複数の宛先のいずれかに通信を行う通信部３０と、通信の宛先を固有情報に対応付け、履歴情報として記憶部５０に記憶させる制御部６０と、を備える。この制御部６０は、履歴情報に基づいて、複数の宛先のうち固有情報に対応付けられた宛先をＳＩＭカードに記憶させる。【選択図】図２
2012175584.tif 000002
【特許請求の範囲】
【請求項１】
自端末を特定する情報として使用される固有情報を格納すると共に通信相手の宛先を記憶可能な認証媒体を使用して通信を実行する携帯端末装置であって、
前記認証媒体に格納された前記固有情報を読み取る読取部と、
複数の宛先を記憶する記憶部と、
前記固有情報を使用して前記複数の宛先のいずれかに通信を行う通信部と、
当該通信の宛先を前記固有情報に対応付け、履歴情報として前記記憶部に記憶させる制御部と、を備え、
前記制御部は、前記履歴情報に基づいて、前記複数の宛先のうち前記固有情報に対応付けられた宛先を前記認証媒体に記憶させる、
携帯端末装置。
【請求項２】
前記制御部は、前記履歴情報に基づいて前記固有情報に対応付けられた宛先における優先順位を決定し、当該優先順位に基づいて前記複数の宛先のうち前記固有情報に対応付けられた宛先を前記認証媒体に記憶させる、
請求項１に記載の携帯端末装置。
【請求項３】
前記制御部は、前記優先順位の決定の際に、前記固有情報に対応付けられた宛先ごとの通信回数を集計し、当該通信回数の多い順に前記固有情報に対応付けられた宛先の優先順位を高く決定する、
請求項２に記載の携帯端末装置。
【請求項４】
前記固有情報は、所定の電話番号を含み、
前記宛先は電話番号を含み、
前記記憶部は、前記履歴情報として前記通信の宛先に加えて前記通信における通信時間を対応付けて記憶し、
前記制御部は、前記履歴情報に基づいて前記固有情報に対応付けられた宛先ごとの通信時間を集計し、当該通信時間の長い順に前記固有情報に対応付けられた宛先の優先順位を高く決定する、
請求項２又は３に記載の携帯端末装置。
【請求項５】
前記認証媒体は、前記固有情報に対応付けて所定の通信事業者情報を格納し、
前記記憶部は、前記複数の宛先に、各宛先における通信事業者情報を対応付けて記憶し、
前記制御部は、前記固有情報に対応付けられた宛先が、前記所定の通信事業者情報と同一の通信事業者情報が対応付けられている場合には前記所定の通信事業者情報が対応付けられていない場合よりも当該宛先の優先順位を高く決定する、
請求項２から４のいずれか１項に記載の携帯端末装置。
【請求項６】
前記記憶部は、前記固有情報に適用される所定のサービスに関する情報と共に、前記複数の宛先に、各宛先における当該所定のサービスの適用状況に関する情報を対応付けて記憶し、
前記制御部は、前記所定のサービスの適用状況に関する情報に基づいて、前記固有情報に対応付けられた宛先が、当該所定のサービスが適用されている場合には当該サービスが適用されていない場合よりも当該宛先の優先順位を高く決定する、
請求項２から５のいずれか１項に記載の携帯端末装置。
【請求項７】
前記固有情報は、所定のメールアドレスを含み、
前記宛先は、メールアドレスを更に含み、
前記通信部は、前記所定のメールアドレスを送信元アドレス又は送信先アドレスとしてメールの送受信を実行し、
前記記憶部は、送信元アドレスと、送信先アドレスとを含むメールの送受信履歴情報を前記履歴情報として更に記憶し、
前記制御部は、前記履歴情報に基づいて前記固有情報に対応付けられた宛先を前記認証媒体に記憶させる、
請求項１から６のいずれか１項に記載の携帯端末装置。
【請求項８】
前記制御部は、前記固有情報に対応付けられた宛先のうち優先順位の高い順から所定数の宛先を、前記認証媒体に一括して記憶させる、
請求項１から７のいずれか１項に記載の携帯端末装置。
【請求項９】
自端末を特定する情報として使用される固有情報を格納すると共に通信相手の宛先を記憶可能な認証媒体を使用して通信を実行する携帯端末装置が実行する記憶制御方法であって、
前記固有情報を使用して複数の宛先のいずれかに通信を行うステップと、
前記通信を行うステップにおいて、当該通信の宛先を前記固有情報に対応付け、履歴情報として記憶するステップと、
前記履歴情報に基づいて、前記複数の宛先のうち前記固有情報に対応付けられた宛先を前記認証媒体に記憶させるステップと、
を含む記憶制御方法。
【請求項１０】
自端末を特定する情報として使用される固有情報を格納すると共に通信相手の宛先を記憶可能な認証媒体を使用して通信を実行する携帯端末装置に実行させるための制御プログラムであって、
前記固有情報を使用して複数の宛先のいずれかに通信を行う処理と、
前記通信を行う処理において、当該通信の宛先を前記固有情報に対応付け、履歴情報として前記携帯端末装置が備える記憶部に記憶させる処理と、
前記履歴情報に基づいて、前記複数の宛先のうち前記固有情報に対応付けられた宛先を前記認証媒体に記憶させる処理と、
を前記携帯端末装置に実行させる制御プログラム。
【発明の詳細な説明】
【技術分野】
【０００１】
本発明は、携帯端末装置、記憶制御方法及び制御プログラムに関する。
【背景技術】
【０００２】
携帯端末装置には、ＳＩＭ（Ｓｕｂｓｃｒｉｂｅｒ  Ｉｄｅｎｔｉｔｙ  Ｍｏｄｕｌｅ）カード等の認証媒体が装着されている。この認証媒体には、一の電話番号、一のメールアドレス、契約者情報及び通信事業者情報等が記憶されている。また、この認証媒体は、電話帳等の宛先情報を追記可能な記憶領域を備えており、所定量の情報を追記することが可能である。
【０００３】
この認証媒体を複数の携帯端末装置間で差し替えることによって、複数の携帯端末装置では、認証媒体に記憶されている情報を共有することができる。そこで、携帯端末装置で使用した電話番号及びその使用履歴に関するデータを認証媒体に記憶させることにより、この認証媒体を介して一方の携帯端末装置で使用した電話番号やその使用履歴を他方の携帯端末装置でも共用することができる方法が提案されている（例えば、特許文献１）。
【先行技術文献】
【特許文献】
【０００４】
【特許文献１】特開２００４−０８８２３５号公報
【発明の概要】
【発明が解決しようとする課題】
【０００５】
ところで、近年、複数の認証媒体を切り替えてそれぞれの複数の固有情報を使用することが可能な携帯端末装置が提案されている。このような携帯端末装置は、プライベートで使用する認証媒体とビジネスで使用する認証媒体とを、場合に応じて互いに切り替えて利用される場合がある。
【０００６】
しかしながら、この携帯端末装置に、特許文献１に記載されている方法を適用した場合、一方の認証媒体で主に使用されている情報までもが他方の認証媒体に記憶されてしまい、問題となるおそれがある。そこで、一方の認証媒体に対して、当該一方の認証媒体に対応する情報を記憶させることができる技術が求められている。
【０００７】
本発明は、一方の認証媒体に対して、当該一方の認証媒体に対応する情報を記憶させることができる携帯端末装置、記憶制御方法及び制御プログラムを提供することを目的とする。
【課題を解決するための手段】
【０００８】
本発明に係る携帯端末装置は、自端末を特定する情報として使用される固有情報を格納すると共に通信相手の宛先を記憶可能な認証媒体を使用して通信を実行する携帯端末装置であって、前記認証媒体に格納された前記固有情報を読み取る読取部と、複数の宛先を記憶する記憶部と、前記固有情報を使用して前記複数の宛先のいずれかに通信を行う通信部と、当該通信の宛先を前記固有情報に対応付け、履歴情報として前記記憶部に記憶させる制御部と、を備え、前記制御部は、前記履歴情報に基づいて、前記複数の宛先のうち前記固有情報に対応付けられた宛先を前記認証媒体に記憶させる。
【０００９】
また、上記携帯端末装置では、前記制御部は、前記履歴情報に基づいて前記固有情報に対応付けられた宛先における優先順位を決定し、当該優先順位に基づいて前記複数の宛先のうち前記固有情報に対応付けられた宛先を前記認証媒体に記憶させることが好ましい。
【００１０】
また、上記携帯端末装置では、前記制御部は、前記優先順位の決定の際に、前記固有情報に対応付けられた宛先ごとの通信回数を集計し、当該通信回数の多い順に前記固有情報に対応付けられた宛先の優先順位を高く決定することが好ましい。
【００１１】
また、上記携帯端末装置では、前記固有情報は、所定の電話番号を含み、前記宛先は電話番号を含み、前記記憶部は、前記履歴情報として前記通信の宛先に加えて前記通信における通信時間を対応付けて記憶し、前記制御部は、前記履歴情報に基づいて前記固有情報に対応付けられた宛先ごとの通信時間を集計し、当該通信時間の長い順に前記固有情報に対応付けられた宛先の優先順位を高く決定することが好ましい。
【００１２】
また、上記携帯端末装置では、前記認証媒体は、前記固有情報に対応付けて所定の通信事業者情報を格納し、前記記憶部は、前記複数の宛先に、各宛先における通信事業者情報を対応付けて記憶し、前記制御部は、前記固有情報に対応付けられた宛先が、前記所定の通信事業者情報と同一の通信事業者情報が対応付けられている場合には前記所定の通信事業者情報が対応付けられていない場合よりも当該宛先の優先順位を高く決定することが好ましい。
【００１３】
また、上記携帯端末装置では、前記記憶部は、前記固有情報に適用される所定のサービスに関する情報と共に、前記複数の宛先に、各宛先における当該所定のサービスの適用状況に関する情報を対応付けて記憶し、前記制御部は、前記所定のサービスの適用状況に関する情報に基づいて、前記固有情報に対応付けられた宛先が、当該所定のサービスが適用されている場合には当該サービスが適用されていない場合よりも当該宛先の優先順位を高く決定することが好ましい。
【００１４】
また、上記携帯端末装置では、前記固有情報は、所定のメールアドレスを含み、前記宛先は、メールアドレスを更に含み、前記通信部は、前記所定のメールアドレスを送信元アドレス又は送信先アドレスとしてメールの送受信を実行し、前記記憶部は、送信元アドレスと、送信先アドレスとを含むメールの送受信履歴情報を前記履歴情報として更に記憶し、前記制御部は、前記履歴情報に基づいて前記固有情報に対応付けられた宛先を前記認証媒体に記憶させることが好ましい。
【００１５】
また、上記携帯端末装置では、前記制御部は、前記固有情報に対応付けられた宛先のうち優先順位の高い順から所定数の宛先を、前記認証媒体に一括して記憶させることが好ましい。
【００１６】
本発明に係る記憶制御方法は、自端末を特定する情報として使用される固有情報を格納すると共に通信相手の宛先を記憶可能な認証媒体を使用して通信を実行する携帯端末装置が実行する記憶制御方法であって、前記固有情報を使用して複数の宛先のいずれかに通信を行うステップと、前記通信を行うステップにおいて、当該通信の宛先を前記固有情報に対応付け、履歴情報として記憶するステップと、前記履歴情報に基づいて、前記複数の宛先のうち前記固有情報に対応付けられた宛先を前記認証媒体に記憶させるステップと、を含む。
【００１７】
本発明に係る制御プログラムは、自端末を特定する情報として使用される固有情報を格納すると共に通信相手の宛先を記憶可能な認証媒体を使用して通信を実行する携帯端末装置に実行させるための制御プログラムであって、前記固有情報を使用して複数の宛先のいずれかに通信を行う処理と、前記通信を行う処理において、当該通信の宛先を前記固有情報に対応付け、履歴情報として前記携帯端末装置が備える記憶部に記憶させる処理と、前記履歴情報に基づいて、前記複数の宛先のうち前記固有情報に対応付けられた宛先を前記認証媒体に記憶させる処理と、を前記携帯端末装置に実行させる。
【発明の効果】
【００１８】
本発明によれば、一方の認証媒体に対して、当該一方の認証媒体に対応する情報を記憶させることができる。
【図面の簡単な説明】
【００１９】
【図１】本実施形態に係る携帯電話装置の外観斜視図である。
【図２】本実施形態に係る携帯電話装置の機能を示す機能ブロック図である。
【図３】本実施形態に係る電話帳テーブルを示す図である。
【図４】本実施形態に係る通話履歴テーブルを示す図である。
【図５】本実施形態に係る送信履歴テーブルを示す図である。
【図６】本実施形態に係る受信履歴テーブルを示す図である。
【図７】本実施形態に係るサービス情報テーブルを示す図である。
【図８】本実施形態に係る携帯電話装置によりＳＩＭカードに複数の宛先情報を記憶させる処理の流れの一例を示すフローチャートである。
【図９】図８に続くフローチャートである。
【図１０】図９に続くフローチャートである。
【発明を実施するための形態】
【００２０】
以下、本発明の実施の形態について説明する。なお、本実施形態では、電子機器の一例として、携帯電話装置について説明するが、本発明は電子機器に限られるものではなく、電子機器が各種機能を実行する方法、電子機器に各種機能を実行させるためのプログラム、及びこのプログラムを記憶した記憶媒体にも適用可能である。また、本発明の電子機器は、これに限られず、例えば、携帯電話機やＰＤＡ（Ｐｅｒｓｏｎａｌ  Ｄｉｇｉｔａｌ  Ａｓｓｉｓｔａｎｔ）の他、通信機能を備えたパーソナルコンピュータ、更に、これらに接続される通信モジュール等、様々な電子機器に適用可能である。
【００２１】
図１は、本実施形態に係る携帯電話装置１の外観斜視図である。なお、図１は、いわゆる折り畳み型の携帯電話装置の形態を示しているが、本発明に係る携帯電話装置の形態としては、特にこれに限られない。例えば、両筐体を重ね合わせた状態から一方の筐体を一方向にスライドさせるようにした回転式（ターンタイプ）や、操作部と表示部とが１つの筐体に配置され、連結部を有さない形式（ストレートタイプ）でもよい。
【００２２】
携帯電話装置１は、操作部側筐体部２と、表示部側筐体部３とを備えて構成される。
操作部側筐体部２は、表面部１０に、入力部としての操作部１１と、携帯電話装置１の使用者が通話時に発した音声が入力されるマイク１２とを備えて構成される。操作部１１は、各種設定や電話機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。
また、表示部側筐体部３は、表面部２０に、各種情報を表示するためのＬＣＤ（Ｌｉｑｕｉｄ  Ｃｒｙｓｔａｌ  Ｄｉｓｐｌａｙ）表示部２１と、通話の相手側の音声を出力するスピーカ２２とを備えて構成されている。
【００２３】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２４】
図２は、本実施形態に係る携帯電話装置１の機能を示す機能ブロック図である。
携帯電話装置１は、図２に示すように、操作部１１と、マイク１２と、通信部３０と、ＬＣＤ制御部４１と、音声処理部４２と、記憶部５０と、制御部６０とを操作部側筐体部２に備える。また、携帯電話装置１は、ＬＣＤ表示部２１と、スピーカ２２と、ＬＣＤドライバ２３とを表示部側筐体部３に備える。なお、各構成の配置は、本実施形態に限定されない。
【００２５】
通信部３０は、基地局（図示省略）等の外部機器と信号の送受信を行う。この通信部３０は、メインアンテナ３１と、ＲＦ回路部３２とを備える。通信部３０は、制御部６０の制御に応じて、ＳＩＭカードに格納されている固有情報を使用して記憶部５０に記憶されている複数の宛先のいずれかとの通信を行う。
【００２６】
メインアンテナ３１は、基地局等の外部機器と、所定の変調方式で変調された高周波信号の送受信を行う。
ＲＦ回路部３２は、メインアンテナ３１により送受信される高周波信号を処理する。具体的には、ＲＦ回路部３２は、メインアンテナ３１によって受信した信号を所定の復調方式で復調し、処理後の信号を制御部６０に供給する。また、ＲＦ回路部３２は、制御部６０から供給された信号を所定の変調方式で変調し、メインアンテナ３１を介して基地局等の外部機器に送信する。
【００２７】
ＬＣＤ制御部４１は、制御部６０の制御に従って、所定の画像処理を行い、処理後の画像データをＬＣＤドライバ２３に出力する。ＬＣＤドライバ２３は、フレームメモリを備えており、ＬＣＤ制御部４１から供給された画像データをフレームメモリに蓄える。そして、ＬＣＤドライバ２３は、フレームメモリに蓄えられた画像データを所定のタイミングでＬＣＤ表示部２１又はサブＬＣＤ表示部（図示省略）に出力する。
【００２８】
音声処理部４２は、制御部６０の制御に従って、所定の音声処理を行い、処理後の信号をスピーカ２２に出力する。スピーカ２２は、音声処理部４２から供給された信号を外部に出力する。また、音声処理部４２は、マイク１２から入力された信号を処理し、処理後の信号を制御部６０に出力する。
【００２９】
カード装着部４５は、１又は複数のＳＩＭ（Ｓｕｂｓｃｒｉｂｅｒ  Ｉｄｅｎｔｉｔｙ  Ｍｏｄｕｌｅ）カードを装着する。ＳＩＭカードは、一の電話番号（所定の電話番号）、一のメールアドレス、契約者情報及び通信事業者情報等の固有情報を格納する認証媒体である。この固有情報は、読取部としての制御部６０によって読み取られて、記憶部５０に記憶される。また、ＳＩＭカードは、電話帳情報等を追記可能な記憶領域を備えている。携帯電話装置１は、カード装着部４５に装着されているＳＩＭカードに対応付けられている電話番号を、自己の電話番号として使用し、他の携帯電話装置等と通話が可能である。また、携帯電話装置１は、カード装着部４５に装着されているＳＩＭカードに対応付けられているメールアドレスを、自己のメールアドレスとして使用し、他の携帯電話装置等とメールの送受信が可能である。
【００３０】
記憶部５０は、例えば、情報を記憶するメモリ等により構成されており、制御部６０による演算処理に利用される。この記憶部５０は、宛先情報としての電話帳テーブル５１と、通話履歴テーブル５２と、送信履歴テーブル５３と、受信履歴テーブル５４と、サービス情報テーブル５５とを備える。
【００３１】
図３は、本実施形態に係る電話帳テーブル５１を示す図である。電話帳テーブル５１は、宛先名としてユーザ名５１Ａと、ユーザ名に対応する電話番号を示す電話番号５１Ｂと、当該電話番号に対応する通信事業者情報を示す通信事業者５１Ｃと、当該ユーザに対応するメールアドレスであるメールアドレス５１Ｄとを関連付けて宛先情報として記憶する。なお、本実施形態では、電話帳テーブル５１に通信事業者情報を記憶させることとしたがこれに限らない。例えば、電話番号に対応する通信事業者情報を通信事業者のサーバ等に記憶させておき、携帯電話装置１が、通信部３０により当該通信事業者情報を取得するようにしてもよい。
【００３２】
図４は、本実施形態に係る通話履歴テーブル５２を示す図である。通話履歴テーブル５２は、通話履歴情報として、携帯電話装置１に対応し、ＳＩＭカードに記憶されている固有情報としての一の電話番号（所定の電話番号）であって、通話に係る通信に使用された電話番号を示す使用電話番号５２Ａと、当該通話における通話先の電話番号を示す相手先電話番号５２Ｂと、当該通話が行われた日時を示す通話日時５２Ｃと、当該通話が行われていた時間（通信時間）を示す通話時間５２Ｄとを関連付けて通話履歴情報（履歴情報）として記憶する。
【００３３】
図５は、本実施形態に係る送信履歴テーブル５３を示す図である。送信履歴テーブル５３は、メールの送信元として選択された携帯電話装置１のメールアドレスを示す送信メールアドレス５３Ａと、送信先のメールアドレスを示す送信先メールアドレス５３Ｂと、送信が行われた日時を示す送信日時５３Ｃと、メールの内容を示すメッセージ本文５３Ｄとを関連付けて送信履歴情報として記憶する。
【００３４】
図６は、本実施形態に係る受信履歴テーブル５４を示す図である。受信履歴テーブル５４は、メールの送信元のメールアドレスを示す送信元メールアドレス５４Ａと、送信先として選択された携帯電話装置１のメールアドレスを示す受信メールアドレス５４Ｂと、メールを受信した日時を示す受信日時５４Ｃと、メールの内容を示すメッセージ本文５４Ｄとを関連付けて受信履歴情報として記憶する。
【００３５】
図７は、本実施形態に係るサービス情報テーブル５５を示す図である。サービス情報テーブル５５は、所定のサービスに加入している電話番号であって、ＳＩＭカードに記憶されている一の電話番号（所定の電話番号）を示すサービス加入電話番号５５Ａと、当該所定のサービスの適用対象の電話番号を示す対象電話番号５５Ｂと、サービス内容５５Ｃとを関連付けてサービス情報として記憶する。サービス内容は、具体的には、図７に示すように、特定の登録相手に対する通話料が無料又は割引になるようなサービスである。なお、本実施形態では、サービス情報テーブル５５を記憶部５０に記憶させることとしたがこれに限らない。例えば、サービス情報テーブル５５を通信事業者のサーバ等に記憶させておき、携帯電話装置１が、ＳＩＭカードに情報を記憶させる際に、通信部３０により当該サービス情報テーブル５５を取得するようにしてもよい。
なお、記憶部５０に記憶する情報は、上記の５つのテーブルに記憶されるものとしたが、これに限られない。例えば、必要に応じて、情報を記憶するテーブルを追加してもよいし、情報を記憶するテーブルを上述の５つのテーブルより少なくしてもよい。
【００３６】
説明を図２に戻す。制御部６０は、中央演算装置（ＣＰＵ）等により構成されており、携帯電話装置１の全体を制御する。制御部６０は、例えば、通信部３０、ＬＣＤ制御部４１、音声処理部４２等に対して所定の制御を行う。また、制御部６０は、操作部１１等から入力を受け付けて、各種処理を実行する。そして、制御部６０は、処理実行の際には、記憶部５０を制御し、各種プログラム及びデータの読み出し、並びにデータの書き込みを行う。制御部６０の詳細な機能については後述する。
【００３７】
このように構成される携帯電話装置１は、制御部６０により、記憶部５０に記憶されている電話帳テーブル５１に記憶されている宛先情報をＳＩＭカードに記憶させる。以下に、制御部６０の電話帳テーブル５１に記憶されている宛先情報をＳＩＭカードに記憶させる処理について、詳細な説明を行う。
【００３８】
制御部６０は、カード装着部４５に複数のＳＩＭカードが装着されている場合、操作部１１によって使用するＳＩＭカードを切り替えることによって、それぞれのＳＩＭカードに対応する一の電話番号又は一のメールアドレスのいずれかを選択して、選択された電話番号又はメールアドレスにより通話又はメールの送信を行う。なお、いずれのＳＩＭカードを使用して通話又はメールの送信を行う場合にも、図３に示される電話帳テーブル５１を使用して通話先を決定するようにしてもよい。
【００３９】
そして、制御部６０は、通話に係る通信が行われたことに応じて、通話履歴テーブル５２に通話履歴情報を記憶させる。また、制御部６０は、メールの送信が行われたことに応じて、送信履歴テーブル５３に送信履歴情報を記憶させる。また、制御部６０は、メールの受信が行われたことに応じて、受信履歴テーブル５４に受信履歴情報を記憶させる。
【００４０】
制御部６０は、操作部１１による所定の操作に応じて、複数の宛先をカード装着部４５に装着されているＳＩＭカードに記憶させる。その際に、制御部６０は、各種履歴情報に基づいて複数の宛先を決定し、決定された複数の宛先をＳＩＭカードに記憶させる。
【００４１】
具体的には、制御部６０は、使用電話番号のうち、いずれの使用電話番号に対応するＳＩＭカードに記憶するかを決定し、当該決定されたＳＩＭカードに対応する使用電話番号に対応する履歴情報を特定する。制御部６０は、この特定された履歴情報に基づいて、宛先情報の優先順位を決定する。一例として、制御部６０は、通話履歴テーブル５２に記憶されている相手先電話番号と、電話帳テーブル５１に記憶されている電話番号とを関連付けて、通話履歴テーブル５２と電話帳テーブル５１とを対比し、使用電話番号に対応する宛先情報を対応情報として抽出する。そして、制御部６０は、抽出された対応情報に基づいて、使用電話番号に対応するＳＩＭカードに対する電話帳テーブル５１における宛先情報の優先順位を決定する。そして、制御部６０は、操作部１１を介して、ＳＩＭカードに情報を記憶させるための所定の操作を受け付けたことに応じて、決定された優先順位に基づいて、複数の宛先情報をＳＩＭカードに記憶させる。なお、上記の優先順位を決定する方法は一例であるため、上記方法に限定されない。
【００４２】
例えば、カード装着部４５に第１のＳＩＭカードと、第２のＳＩＭカードとが装着されている場合、制御部６０は、宛先情報の優先順位を、第１のＳＩＭカード、第２のＳＩＭカードそれぞれに対して決定する。そして、制御部６０は、操作部１１により所定の操作を受け付けられたことに応じて、第１のＳＩＭカードに対応する優先順位に基づいて、第１のＳＩＭカードに宛先情報を記憶させると共に、第２のＳＩＭカードに対応する優先順位に基づいて、第２のＳＩＭカードに宛先情報を記憶させる。
【００４３】
また、制御部６０は、様々な要素に基づいてカード装着部４５に装着されている１又は複数のＳＩＭカードそれぞれに対する宛先情報の優先順位を決定する。
【００４４】
すなわち、制御部６０は、対応情報に基づいて、使用電話番号に対応する宛先情報ごとの通話回数（通信回数）を集計する。そして、制御部６０は、通話回数（通信回数）の多い宛先情報の優先順位を高く決定する。具体的には、制御部６０は、宛先情報について、集計値が降順になるように並び替えを行い、並び替えられた順序を宛先情報の優先順位とする。
【００４５】
また、制御部６０は、対応情報に基づいて、使用電話番号に対応する宛先情報ごとの通話時間（通信時間）を集計する。そして、制御部６０は、通話時間（通信時間）の長い宛先情報の優先順位を高く決定する。具体的には、制御部６０は、宛先情報について、集計値が降順になるように並び替えを行い、並び替えられた順序を宛先情報の優先順位とする。
【００４６】
また、制御部６０は、ＳＩＭカードに対応する通信事業者情報と一致する通信事業者情報を含んでいる電話帳テーブル５１の宛先情報に対して、当該ＳＩＭカードにおける優先順位を高く決定する。例えば、制御部６０は、ＳＩＭカードに対応する通信事業者情報と一致する通信事業者情報を含んでいる電話帳テーブル５１の宛先情報の優先順位を１位にすると共に、当該宛先情報の数を集計する。そして、ＳＩＭカードに対応する通信事業者情報と一致する通信事業者情報を含んでいない電話帳テーブル５１の宛先情報の優先順位を集計した値に１加算した値にする。
【００４７】
また、制御部６０は、サービス情報テーブル５５に基づいて、ＳＩＭカードに対応する所定のサービスに関連付けられている宛先情報の優先順位を、所定のサービスに関連付けられていない宛先情報に比べて高く決定する。具体的には、制御部６０は、サービス情報テーブル５５に含まれる対象電話番号と、電話帳テーブル５１に含まれている電話番号を関連付けて、所定のサービスに対応するＳＩＭカードに関連付けられる宛先情報を抽出する。そして、制御部６０は、抽出された宛先情報の優先順位を高く決定する。例えば、制御部６０は、所定のサービスに対応するＳＩＭカードに関連付けられる宛先情報の優先順位を１位にすると共に、当該宛先情報の数を集計する。そして、所定のサービスに対応するＳＩＭカードに関連付けられていない宛先情報の優先順位を集計した値に１加算した値にする。
【００４８】
また、制御部６０は、送信履歴テーブル５３及び受信履歴テーブル５４に基づいて、複数の宛先情報をＳＩＭカードに記憶させる。
【００４９】
具体的には、制御部６０は、送信履歴テーブル５３に記憶されている送信先メールアドレスと、電話帳テーブル５１に記憶されているメールアドレスとを関連付けて、送信履歴テーブル５３と電話帳テーブル５１とを対比し、送信メールアドレスに対応する宛先情報を送信メール対応情報として抽出する。そして、制御部６０は、抽出された送信メール対応情報に基づいて、送信メールアドレスに対応する宛先情報ごとのメール送信回数を集計する。そして、制御部６０は、集計した結果、送信メールアドレス（ＳＩＭカードに対応する一のメールアドレス）から送信した回数の多い宛先情報の優先順位を高く決定する。具体的には、制御部６０は、宛先情報について、集計値が降順になるように並び替えを行い、並び替えられた順序を宛先情報の優先順位とする。
【００５０】
また、制御部６０は、受信履歴テーブル５４に記憶されている送信元メールアドレスと、電話帳テーブル５１に記憶されているメールアドレスとを関連付けて、受信履歴テーブル５４と電話帳テーブル５１とを対比し、受信メールアドレスに対応する宛先情報を受信メール対応情報として抽出する。そして、制御部６０は、抽出された受信メール対応情報に基づいて、受信メールアドレスに対応する宛先情報ごとのメール受信回数を集計する。そして、制御部６０は、集計した結果、受信メールアドレス（ＳＩＭカードに対応する一のメールアドレス）を宛先として送信した回数の多い宛先情報の優先順位を高く決定する。具体的には、制御部６０は、集計値を降順に宛先情報の並び替えを行い、並び替えられた順序を宛先情報の優先順位とする。
【００５１】
なお、制御部６０は、上述の通話回数、通話時間、通信事業者情報、サービス情報、メールの送信回数、及びメールの受信回数から、優先順位を決定する要素の選択を受け付ける。すなわち、制御部６０は、ＳＩＭカードに宛先情報を記憶させるための所定の操作を受け付けたことに応じて、優先順位を決定する要素を選択する画面をＬＣＤ表示部２１に表示させて、操作部１１を介して優先順位を決定する要素の選択を受け付ける。そして、制御部６０は、選択された要素に基づいて、カード装着部４５に装着されているＳＩＭカードの優先順位を決定し、当該優先順位に基づいてＳＩＭカードに複数の宛先情報を記憶させる。
【００５２】
ここで、制御部６０は、複数の要素に基づいて優先順位を決定する場合、複数の要素それぞれによって決定された優先順位を数値として加算することにより、優先順位を決定する。例えば、所定の宛先情報について、通話回数による優先順位が１位、通話時間による優先順位が２位の場合、１位、２位をそれぞれ数値化して加算し、３という値を得る。同様に他の宛先情報についても同様の計算を行い、値が低い順に優先順位を高く決定する。なお、制御部６０は、他の方法によって複数の要素に基づく優先順位を決定してもよい。例えば、制御部６０は、複数の要素それぞれについて優先順位が高い宛先情報について相対的に高いポイントを付与し、優先順位が低い宛先情報について相対的に低いポイントを付与することによって、ポイントの合計値が高い宛先情報を優先順位が高い宛先情報としてもよい。
【００５３】
また、制御部６０は、カード装着部４５に装着されている１又は複数のＳＩＭカードそれぞれに対応する優先順位の高い宛先情報から順に所定数の宛先情報を選択し、選択された所定数の宛先情報を、対応するＳＩＭカードの記憶領域に対して一括して記憶させる。
【００５４】
続いて、携帯電話装置１においてＳＩＭカードに複数の宛先情報を記憶させる処理の流れについて説明する。
図８から図１０は、携帯電話装置１によりＳＩＭカードに複数の宛先情報を記憶させる処理の流れの一例を示すフローチャートである。
【００５５】
ステップＳ１において、制御部６０は、通話履歴及びメール送受信履歴を記憶部５０に記憶させる。具体的には、制御部６０は、通話に係る通信が行われた場合に通話履歴情報を通話履歴テーブル５２に記憶させる。また、制御部６０は、メールの送受信履歴を送信履歴テーブル５３又は受信履歴テーブル５４に記憶させる。
【００５６】
ステップＳ２において、制御部６０は、ＳＩＭカードに情報を追記するための所定の操作を受け付けたか否かを判定する。制御部６０は、この判定がＹＥＳの場合、ステップＳ３に処理を移し、この判定がＮＯの場合、ステップＳ１に処理を移す。
ステップＳ３において、制御部６０は、ＳＩＭカードの記憶領域に記憶可能な領域（残容量）があるか否かを判定する。制御部６０は、この判定がＹＥＳの場合、ステップＳ４に処理を移し、この判定がＮＯの場合、本フローチャートに係る処理を終了する。
【００５７】
ステップＳ４において、制御部６０は、優先順位を決定する要素を選択する画面をＬＣＤ表示部２１に表示させて、操作部１１を介して優先順位を決定する要素（順位決定要素）の選択を受け付ける。ここでは、優先順位を決定する要素として、通話回数、通話時間、通信事業者情報、サービス情報、メール送信情報、及びメール受信情報をＬＣＤ表示部２１に表示させる。なお、優先順位を決定する要素として、少なくともいずれか１つの要素が選択されるものとする。
なお、制御部６０は、予め優先順位を決定する要素が決まっている場合には、ステップＳ４の処理を省略してもよい。また、制御部６０は、各テーブルのデータの存否に応じて、優先順位を決定する要素を変更してもよい。
【００５８】
ステップＳ５において、制御部６０は、ステップＳ４において通話回数が優先順位を決定する要素に選択されたか否かを判定する。制御部６０は、この判定がＹＥＳの場合、ステップＳ６に処理を移し、この判定がＮＯの場合、ステップＳ９に処理を移す。
ステップＳ６において、制御部６０は、通話履歴テーブル５２に記憶されている使用電話番号と、電話帳テーブル５１に記憶されている電話番号とを関連付けて、通話履歴テーブル５２と電話帳テーブル５１とを対比し、使用電話番号に対応する宛先情報を対応情報として抽出する。
【００５９】
ステップＳ７において、制御部６０は、カード装着部４５に装着されているＳＩＭカードそれぞれについて、ステップＳ６において抽出された宛先情報ごとの通話回数を集計する。
ステップＳ８において、制御部６０は、ステップＳ７の集計結果に基づいて、通話回数の多い宛先情報の優先順位を高く決定する。
【００６０】
ステップＳ９において、制御部６０は、ステップＳ４において通話時間が優先順位を決定する要素に選択されたか否かを判定する。制御部６０は、この判定がＹＥＳの場合、ステップＳ１０に処理を移し、この判定がＮＯの場合、図９のステップＳ１３に処理を移す。
ステップＳ１０において、制御部６０は、ステップＳ６と同様に通話履歴テーブル５２に記憶されている使用電話番号と、電話帳テーブル５１に記憶されている電話番号とを関連付けて、通話履歴テーブル５２と電話帳テーブル５１とを対比し、使用電話番号に対応する宛先情報を対応情報として抽出する。
【００６１】
ステップＳ１１において、制御部６０は、カード装着部４５に装着されているＳＩＭカードそれぞれについて、ステップＳ１０において抽出された宛先情報ごとの通話時間を集計する。
ステップＳ１２において、制御部６０は、ステップＳ１１の集計結果に基づいて、通話時間の長い宛先情報の優先順位を高く決定する。
【００６２】
図９に処理を移す。ステップＳ１３において、制御部６０は、ステップＳ４において通信事業者情報が優先順位を決定する要素に選択されたか否かを判定する。制御部６０は、この判定がＹＥＳの場合、ステップＳ１４に処理を移し、この判定がＮＯの場合、ステップＳ１５に処理を移す。
ステップＳ１４において、制御部６０は、ＳＩＭカードの通信事業者情報と一致する通信事業者情報を含む宛先情報の優先順位を高く決定する。
【００６３】
ステップＳ１５において、制御部６０は、ステップＳ４においてサービス情報が優先順位を決定する要素に選択されたか否かを判定する。制御部６０は、この判定がＹＥＳの場合、ステップＳ１６に処理を移し、この判定がＮＯの場合、ステップＳ１７に処理を移す。
ステップＳ１６において、制御部６０は、ＳＩＭカードに対応する所定のサービスに関連付けられている宛先情報の優先順位を高く決定する。
【００６４】
ステップＳ１７において、制御部６０は、ステップＳ４においてメール送信情報が優先順位を決定する要素に選択されたか否かを判定する。制御部６０は、この判定がＹＥＳの場合、ステップＳ１８に処理を移し、この判定がＮＯの場合、図１０のステップＳ２１に処理を移す。
ステップＳ１８において、制御部６０は、送信履歴テーブル５３に記憶されている送信先メールアドレスと、電話帳テーブル５１に記憶されているメールアドレスとを関連付けて、送信履歴テーブル５３と電話帳テーブル５１とを対比し、送信メールアドレスに対応する宛先情報を送信メール対応情報として抽出する。
【００６５】
ステップＳ１９において、制御部６０は、カード装着部４５に装着されているＳＩＭカードそれぞれについて、ステップＳ１８において抽出された送信メール対応情報に基づいて、宛先情報ごとのメール送信回数を集計する。
ステップＳ２０において、制御部６０は、ステップＳ１９の集計結果に基づいて、送信メールアドレスから送信した回数の多い宛先情報の優先順位を高く決定する。
【００６６】
図１０に処理を移す。ステップＳ２１において、制御部６０は、ステップＳ４においてメール受信情報が優先順位を決定する要素に選択されたか否かを判定する。制御部６０は、この判定がＹＥＳの場合、ステップＳ２２に処理を移し、この判定がＮＯの場合、ステップＳ２５に処理を移す。
ステップＳ２２において、制御部６０は、受信履歴テーブル５４に記憶されている送信元メールアドレスと、電話帳テーブル５１に記憶されているメールアドレスとを関連付けて、受信履歴テーブル５４と電話帳テーブル５１とを対比し、受信メールアドレスに対応する宛先情報を受信メール対応情報として抽出する。
【００６７】
ステップＳ２３において、制御部６０は、カード装着部４５に装着されているＳＩＭカードそれぞれについて、ステップＳ２２において抽出された受信メール対応情報に基づいて、宛先情報ごとのメール受信回数を集計する。
ステップＳ２４において、制御部６０は、ステップＳ２３の集計結果に基づいて、受信メールアドレスを宛先として送信した回数の多い宛先情報の優先順位を高く決定する。
【００６８】
ステップＳ２５において、制御部６０は、ステップＳ４において選択された要素に基づいて決定された優先順位について、宛先情報ごとに合計する。
ステップＳ２６において、制御部６０は、合計値の低い順に宛先情報の優先順位を決定する。具体的には、制御部６０は、宛先情報について、ステップＳ２５により算出された合計値が昇順になるように並び替えを行い、並び替えられた順序を宛先情報の優先順位とする。
【００６９】
ステップＳ２７において、制御部６０は、ステップＳ２６において決定された優先順位が所定順位未満の宛先情報を選択する。なお、制御部６０は、ステップＳ２６において決定された優先順位が所定順位未満であっても、選択された要素ごとにおける所定の閾値に達していなかった場合や、複数の要素を選択した場合において、ポイントの合計値が所定の閾値に達していない場合には、その宛先情報が選択されないようにしてもよい。
ステップＳ２８において、制御部６０は、ステップＳ２７において選択された宛先情報をＳＩＭカードに一括して記憶させる。
【００７０】
以上、本実施形態によれば、携帯電話装置１は、記憶部５０の電話帳テーブル５１により複数の宛先情報を記憶し、制御部６０により実行された通信の宛先と当該通信に使用された所定の電話番号とを対応付けて記憶部５０の通話履歴テーブル５２に記憶させ、当該通話履歴テーブル５２に基づいて複数の宛先情報をＳＩＭカードに記憶させる。
【００７１】
通話履歴テーブル５２には、ＳＩＭカードに対応する所定の電話番号が記憶されているので、携帯電話装置１は、当該通話履歴テーブル５２に基づいてＳＩＭカードに記憶させる宛先情報を決定することによって、一方のＳＩＭカードに対して、当該一方のＳＩＭカードに対応する情報を記憶させることができる。
【００７２】
また、制御部６０は、通話履歴テーブル５２に記憶されている相手先電話番号と、電話帳テーブル５１に含まれる電話番号とを関連付けることによって、携帯電話装置１の電話番号に対応する宛先情報を対応情報として抽出する。また、制御部６０は、対応情報に基づいてＳＩＭカードに対する宛先情報の優先順位を決定し、優先順位に基づいて複数の宛先をＳＩＭカードに記憶させる。よって、携帯電話装置１は、優先順位が高い宛先情報を優先してＳＩＭカードに記憶させることができるので、ＳＩＭカードの記憶容量が少ない場合であっても、優先順位が高い宛先情報がＳＩＭカードに記憶される可能性を高めることができる。
【００７３】
また、制御部６０は、対応情報に基づいて、使用電話番号に対応する宛先情報ごとの通信回数としての通話回数を集計し、通話回数の多い宛先情報の優先順位を高く決定する。よって、携帯電話装置１は、通話回数に基づいて宛先情報の優先順位を決定することができる。
【００７４】
また、通話履歴テーブル５２は、通信時間としての通話時間を記憶する。また、制御部６０は、通話履歴テーブル５２において使用電話番号に関連付けられている相手先電話番号と、電話帳テーブル５１に含まれる電話番号とを関連付けて、使用電話番号に対応する宛先情報を対応情報として特定し、使用電話番号に対応する宛先情報ごとの通話時間を集計し、通話時間の長い宛先情報の優先順位を高く決定する。よって、携帯電話装置１は、通話時間に基づいて宛先情報の優先順位を決定することができる。
【００７５】
また、ＳＩＭカードには、所定のメールアドレスが対応付けられており、記憶部５０は、送信元アドレスと、送信先アドレスとを含む送信履歴テーブル５３及び受信履歴テーブル５４を記憶する。また、制御部６０は、送信履歴テーブル５３及び受信履歴テーブル５４に基づいて複数の宛先情報をＳＩＭカードに記憶させる。携帯電話装置１は、メールの送受信履歴に基づいて宛先情報の優先順位を決定することができる。
【００７６】
また、ＳＩＭカードには、通信事業者情報が対応付けられており、電話帳テーブル５１は、通信事業者情報を含んでいる。また、制御部６０は、ＳＩＭカードの通信事業者情報と同一の通信事業者情報を含む宛先の優先順位を相対的に高く決定する。よって、携帯電話装置１は、ＳＩＭカードに対応する通信事業者情報と同一の通信事業者情報を含む宛先情報の優先順位を相対的に高く決定することができる。
【００７７】
また、ＳＩＭカードには、所定のサービスが対応付けられており、記憶部５０は、所定のサービスに対応するＳＩＭカードの電話番号と、当該所定のサービスが適用されている電話番号とを関連付けてサービス情報テーブル５５として記憶する。また、制御部６０は、サービス情報テーブル５５に基づいて、ＳＩＭカードに対応する所定のサービスに関連付けられている宛先情報の優先順位を高く決定する。よって、携帯電話装置１は、サービスが適用されている宛先情報の優先順位を決定することができる。
【００７８】
また、制御部６０は、ＳＩＭカードに対応する優先順位の高い宛先情報から順に所定数の宛先情報を選択し、選択された当該所定数の宛先情報を、対応する認証カードの記憶領域に対して一括して記憶させる。よって、携帯電話装置１は、一括して宛先情報を記憶させるので、記憶させるときに携帯電話装置１にかかる負荷を軽減することができる。
【００７９】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００８０】
本実施形態では、携帯電話装置１は、カード装着部４５にＳＩＭカードを装着することとしたが、これに限らない。例えば、携帯電話装置１は、カード装着部にＳＩＭカードと同様の機能を有するＩＣカードを装着するようにしてもよい。
【００８１】
また、本実施形態では、携帯電話装置１は、通話情報やメールの送受信情報等によりＳＩＭカードに記憶させる宛先情報の優先順位を決定したが、これに限らない。例えば、携帯電話装置１は、ショートメッセージサービスの通信履歴情報に基づいてＳＩＭカードに記憶させる宛先情報の優先順位を決定させるようにしてもよい。
【符号の説明】
【００８２】
１  携帯電話装置
３０  通信部
４５  カード装着部
５０  記憶部
６０  制御部
【図１】
2012175584.tif 000003
【図２】
2012175584.tif 000004
【図３】
2012175584.tif 000005
【図４】
2012175584.tif 000006
【図５】
2012175584.tif 000007
【図６】
2012175584.tif 000008
【図７】
2012175584.tif 000009
【図８】
2012175584.tif 000010
【図９】
2012175584.tif 000011
【図１０】
2012175584.tif 000012